(57)【要約】【課題】幼児を散髪する際に、幼児はおとなしくしていることができず急に頭を動かしたりすることがあり、その際に鋏の先端で頭を傷つける虞があった。また、幼児の頭は小さいので散髪時に細かい作業をする必要があるが、成人用の理容鋏は全体が長く形成され、幼児の耳の後などの細かい部分の散髪をする作業に適しなかった。そこで、本発明は散髪中に幼児が不意に頭を動かしたりしても危険性がなく、また幼児の耳の後ろなどのように細かい作業をする場合でも容易に散髪することができる理容鋏を提供することを目的とする。【解決手段】一対の把持部が該把持部の後端を中心に揺動可能であって、把持部の揺動によって一対の刃が開閉し、刃はプラスチックの側板にそれぞれ取り付けられており、刃の先端部において、前記側板は刃の先端部よりも前方にはみ出ている。【選択図】　図１
2004065790.tif 000002
【特許請求の範囲】
【請求項１】
一対の把持部が該把持部の後端を中心に揺動可能であって、把持部の揺動によって一対の刃が開閉し、刃はプラスチックの側板にそれぞれ取り付けられており、刃の先端部において、前記側板は刃の先端部よりも前方にはみ出ていることを特徴とする理容鋏
【請求項２】
刃の先端部において、側板は刃先縁又はその延長線から突起状にはみ出ている請求項１記載の理容鋏
【請求項３】
刃先縁又はその延長線からはみ出ている突起状はみ出し部は、その端部が凸の円弧状をなしている請求項２記載の理容鋏
【請求項４】
刃の先端部においてはみ出ている側板の縁部は刃の方向に突出し、その突出の高さは少なくとも刃の厚みを有する請求項１乃至請求項３記載の理容鋏
【請求項５】
一対の把持部が該把持部の後端を中心に揺動可能であって、把持部の揺動によって一対の刃が開閉し、刃はプラスチックの側板にそれぞれ取り付けられており、一方の側板は一方の把持部と別体に形成され、その側板の基部は回動可能に他方の側板又は把持部に結合され、前記一方の側板と一方の把持部の間にカム機構が介在し、該カム機構によって一方の把持部の揺動が一方の側板を回動し刃を開閉することを特徴とする理容鋏
【請求項６】
一方の側板は一方の把持部と別体に形成され、その側板の基部は回動可能に他方の側板又は把持部に結合され、前記一方の側板と一方の把持部の間にカム機構が介在し、該カム機構によって一方の把持部の揺動が一方の側板を回動し刃を開閉する請求項１乃至請求項４記載の理容鋏
【請求項７】
一対の把持部が該把持部の後端を中心に揺動可能であって、把持部の揺動によって一対の刃が開閉し、刃はプラスチックの側板にそれぞれ取り付けられており、双方の側板は把持部と別体に形成され、両側板同士が回動可能となるように両側板はそれらの後端で結合され、把持部の前部はそれぞれ側板に対して回動可能となるように側板の途中部分と結合されていることを特徴とする理容鋏
【請求項８】
双方の側板は把持部と別体に形成され、両側板同士が回動可能となるように両側板はそれらの後端で結合され、把持部の前部はそれぞれ側板に対して回動可能となるように側板の途中部分と結合されている請求項１乃至請求項４記載の理容鋏
【発明の詳細な説明】
【０００１】
【発明の属する技術分野】
本発明は理容鋏に関し、特に幼児用の理容鋏に関する。
【０００２】
【従来の技術】
従来、幼児の散髪には通常の成人が使用する理容鋏と同じものが使用されていた。
【０００３】
【発明が解決しようとする課題】
幼児を散髪する際に、幼児はおとなしくしていることができず急に頭を動かしたりすることがあり、その際に鋏の先端で頭を傷つける虞があった。また、幼児の頭は小さいので散髪時に細かい作業をする必要があるが、成人用の理容鋏は全体が長く形成され、幼児の耳の後などの細かい部分の散髪をする作業に適しなかった。そこで、本発明は散髪中に幼児が不意に頭を動かしたりしても危険性がなく、また幼児の耳の後ろなどのように細かい作業をする場合でも容易に散髪することができる理容鋏を提供することを目的とする。
【０００４】
さらに、幼児であっても髪を梳くのであるが、髪を梳くときは鋏の刃が大きく開かないと円滑に作業をすることができない。理容鋏を握り鋏の形状にしたときは、成人用の梳き鋏のように刃が十分に開かないので、本発明は梳き鋏を握り鋏の形状に形成したものであっても刃が十分に開いて、円滑に髪を梳く作業ができる理容鋏を提供することを目的とする。
【０００５】
【課題を解決するための手段】
本発明の請求項１は、一対の把持部が該把持部の後端を中心に揺動可能であって、把持部の揺動によって一対の刃が開閉し、刃はプラスチックの側板にそれぞれ取り付けられており、刃の先端部において、前記側板は刃の先端部よりも前方にはみ出ている構成である。
【０００６】
請求項２は、刃の先端部において、側板は刃先縁又はその延長線から突起状にはみ出ている要素が請求項１に限定的に付加された構成であり、請求項３は、刃先縁又はその延長線からはみ出ている突起状はみ出し部の端部は、はみ出た方向に凸の円弧状をなしている要素が請求項２に限定的に付加された構成であり、請求項４は、刃の先端部においてはみ出ている側板の縁部は刃の方向に突出し、その突出の高さは少なくとも刃の厚みを有する要素が請求項１乃至請求項３に限定的に付加された構成である。
【０００７】
請求項５は、一対の把持部が該把持部の後端を中心に揺動可能であって、把持部の揺動によって一対の刃が開閉し、刃はプラスチックの側板にそれぞれ取り付けられており、一方の側板は一方の把持部と別体に形成され、その側板の基部は回動可能に他方の側板又は把持部に結合され、前記一方の側板と一方の把持部の間にカム機構が介在し、該カム機構によって一方の把持部の揺動が一方の側板を回動し刃を開閉する構成である。
【０００８】
請求項６は、一方の側板は一方の把持部と別体に形成され、その側板の基部は回動可能に他方の側板又は把持部に結合され、前記一方の側板と一方の把持部の間にカム機構が介在し、該カム機構によって一方の把持部の揺動が一方の側板を回動し刃を開閉する要素が請求項１乃至請求項４に限定的に付加された構成である。
【０００９】
請求項７は、一対の把持部が該把持部の後端を中心に揺動可能であって、把持部の揺動によって一対の刃が開閉し、刃はプラスチックの側板にそれぞれ取り付けられており、双方の側板は把持部と別体に形成され、両側板同士が回動可能となるように両側板はそれらの後端で結合され、把持部の前部はそれぞれ側板に対して回動可能となるように側板の途中部分と結合されている構成である。
【００１０】
請求項８は、双方の側板は把持部と別体に形成され、両側板同士が回動可能となるように両側板はそれらの後端で結合され、把持部の前部はそれぞれ側板に対して回動可能となるように側板の途中部分と結合されている要素が請求項１乃至請求項４に限定的に付加された構成である。
【００１１】
【発明の効果】
本発明は以上のような構成であって、請求項１は、刃がプラスチックの側板にそれぞれ取り付けられており、刃の先端部において、前記側板は刃の先端部よりも前方にはみ出ている。したがって、特に幼児の散髪中に不意に幼児が頭を動かしても、刃の特に刃先縁の先端が頭皮に当たる虞がなく頭皮を傷つけることを防止できる。請求項２は、請求項１に加えて、刃の先端部において、側板は刃先縁又はその延長線から突起状にはみ出ている。幼児の頭皮は軟らかいので散髪中に鋏の先端で頭皮を挟むことも考えられるが、そのような場合には、頭皮を切断するよりも前に刃先縁又はその延長線からはみ出た突起状はみ出し部が頭皮を挟むのでそこで作業を停止しすれば、頭皮を傷つけることを未然に防止することができる。さらに、請求項３は、刃先縁又はその延長線からはみ出ている突起状はみ出し部は、はみ出た方向に凸の円弧状をなしているから、鋏の先端で頭皮を挟んだときに、円弧状のはみ出し部分に沿って頭皮が前方へずれて行くので、頭皮を挟んで幼児に痛い思いをさせることがない。
【００１２】
請求項４は、刃の先端部においてはみ出ている側板の縁部は刃の方向に突出し、その突出の高さは少なくとも刃の厚みを有する。したがって、刃の先端部の周囲が側板の突出した縁部に覆われるから、さらに確実に頭皮を傷つけることを防止できる。
【００１３】
請求項５は、一対の把持部が該把持部の後端を中心に揺動可能であって、把持部の揺動によって一対の刃が開閉し、刃はプラスチックの側板にそれぞれ取り付けられており、一方の側板は一方の把持部と別体に形成され、その側板の基部は回動可能に他方の側板又は把持部に結合され、前記一方の側板と一方の把持部の間にカム機構が介在し、該カム機構によって一方の把持部の揺動が一方の側板を回動し刃を開閉する構成である。したがって、カム機構により揺動する一方の側板の揺動中心は側板の基部であるから、把持部の基部を中心として揺動するよりも揺動半径が短い。このために、把持部が開いたときに、この側板の開く角度は把持部よりも大きくなり、両刃の開き角度を大きくすることができるから、特に本発明を梳き鋏としたときに作業を円滑に行うことができる。
【００１４】
請求項７は、一対の把持部が該把持部の後端を中心に揺動可能であって、把持部の揺動によって一対の刃が開閉し、刃はプラスチックの側板にそれぞれ取り付けられており、双方の側板は把持部と別体に形成され、両側板同士が回動可能となるように両側板はそれらの後端で結合され、把持部の前部はそれぞれ側板に対して回動可能となるように側板の途中部分と結合されている構成である。したがって、この場合にも把持部が開いたときの開き角度よりも、両側板の開き角度が大きくなるので刃を十分に開くことができ、特に髪を梳くときの作業が円滑となる。
【００１５】
【発明の実施の形態】
次に本発明の実施の形態を図面に従って説明する。図１乃至図６は、梳き鋏に関する。一対のプラスチック製把持部１，２が後端を中心に揺動可能に一体に形成されている。把持部１，２の後端に孔３を設けることにより把持部１，２は弾力的に揺動することができる。
【００１６】
一方の側板４は把持部と別体に形成され、内面に刃５が取り付けられている。また、側板４にはカム孔６が設けられており、一方の把持部１の内面に設けられた突起７がカム孔６内を摺動する。一方の側板４の基部はビス１０により他方の側板８に回動可能に結合されており、突起７がカム孔６内を摺動しながら側板４はビス１０を中心に回動する。
【００１７】
刃５の先端部１３において、側板４は刃の先端部１３よりも前方にはみ出してはみ出し縁部１４を形成している。はみ出し縁部１４は刃５の方向に刃５の厚みの分だけ突出している。したがって、刃５の先端面ははみ出し縁部１４によって覆われる。また、側板４は、刃の先端部１３において、刃先縁１５及びその延長線を超えて突出する突起状はみ出し部１６を有している。このはみ出し部１６ははみ出し縁部１４と同じ高さで切れ目なくつながっており、刃先縁１５の先端部付近を覆う作用をなしている。突起状はみ出し部１６の端部は凸の円弧状をなしているので、この部分に頭皮が挟まっても自然に頭皮が前方に移動するから、幼児が痛みを感じることを防止できる。
【００１８】
他方の側板８の内面には櫛状の刃９が取り付けられていて梳き鋏として用いることができる。図３，４に示したように双方の把持部表面の指宛て面１１，１２は幅広に形成されているので、使用時に指が痛くなることがない。鋏は通常の状態では図１に示したように刃５，９は開いている。このとき、両把持部１，２の開き角度は大きくないが、一方の側板４の回動半径は小さいので、側板４は他方の側板８に対して大きく開いており、両刃５，９の開き角度はかなり大きくなる。
【００１９】
櫛状の刃９の先端部１７において、他方の側板８は刃の先端部１３よりも前方にはみ出してはみ出し縁部１８を形成している。はみ出し縁部１８は刃９の方向に刃９の厚みの分だけ突出している。したがって、刃９の先端面ははみ出し縁部１８によって覆われる。なお、符号１９は段差であって、段差１９を境にして側板８の背部にフランジ２０が形成されている。図４に示したようにフランジ２０は幅広に形成されているから、散髪時に耳の後側などの部分の毛髪を切るときのように細かい作業をするときは、指先を鋏の前部のフランジ２０に指先を宛がうことにより円滑に作業することができる。また、側板８は、刃の先端部１７において、刃先縁２１及びその延長線を超えて突出する突起状はみ出し部２２を有している。この突起状はみ出し部２２ははみ出し縁部１８と同じ高さで切れ目なくつながっており、刃先縁２１の先端部付近を覆う作用をなしている。突起状はみ出し部２２の端部は凸の円弧状をなしているので、この部分に頭皮が挟まっても自然に頭皮が前方に移動するから、他方のはみ出し部１６の端部も凸の円弧状であることと相俟って幼児が痛みを感じることを防止できる。
【００２０】
この梳き鋏を使用するときは、指宛て面１１，１２を手で握り、指宛て面１１の前部に親指を宛てがい把持部１，２が閉じる方向に力を加える。それにより、指宛て面１１の先端裏面が側板４の背部を押圧し、突起７がカム孔６内を摺動することによって側板４はビス１０を中心に回動し、刃５，９が閉じて髪が切断される。そのような作業を繰り返し行なうことによって整髪することができる。
【００２１】
図７及び図８は直刃の理容鋏である。一対の把持部２３，２３及びそれらの前方に一体に連なる側板２４，２４は対称的に形成され、それぞれの側板２４，２４の内面に刃２５，２５が取り付けられている。把持部２３，２３の後端に孔２６，２６が設けられているので把持部は揺動可能である。把持部２３，２３の揺動によって一対の刃２５，２５は開閉する。把持部２３の前部に矩形の溝２７が設けられ、他方の把持部２３の前部に突部（図示せず）が設けられており、突部が溝２７内に納まって溝２７の内周面に係止し、両側板２４，２４が開いて離れてしまうことを防止する。この係止機構は両方の把持部２３，２３に同じように対称的に設けられている。
【００２２】
それぞれの刃２５の先端部２８において、側板２４は刃の先端部２８よりも前方にはみ出してはみ出し縁部２９を形成している。はみ出し縁部２９は刃２５の方向に刃２５の厚みの分だけ突出している。したがって、刃２５の先端面ははみ出し縁部２９によって覆われる。また、側板２４は、刃の先端部２８において、刃先縁３０及びその延長線を超えて突出する突起状はみ出し部３１を有している。このはみ出し部３１ははみ出し縁部２９と同じ高さで切れ目なくつながっており、刃先縁３０の先端部付近を覆う作用をなしている。突起状はみ出し部１６の端部は凸の円弧状をなしているので、この部分に頭皮が挟まっても自然に頭皮が前方に移動するから、幼児が痛みを感じることを防止できる。なお、符号３２は段差であって、段差３２を境にして側板２４の背部にフランジ３３が形成されている。
【００２３】
図９は梳き鋏の他の実施例である。双方の側板３４，３４は把持部３５，３５と別体に形成され、両側板３４、３４同士が回動可能となるように両側板はそれらの後端で支軸３６で結合されている。両側板３４，３４は断面がＵ字形の把持部３５，３５の前部と支軸３７，３７で結合されており、把持部３５，３５に対して支軸３７，３７を中心に回動可能である。したがって、把持部３５，３５を揺動させることによって刃３８，３９は開閉する。側板３４の回動半径は小さいので把持部３５の揺動が小さくても刃の開き角度は大きくなる。その他、刃の先端が側板の一部で覆われる構成は、図１乃至図６で示した梳き鋏の説明と同じである。
【図面の簡単な説明】
【図１】本発明の正面図
【図２】図１における刃を閉じた状態図
【図３】図２における上面図
【図４】図２における底面図
【図５】図１における背面図
【図６】図５における刃を閉じた状態図
【図７】直刃鋏の実施例の正面図
【図８】図７における上面図
【図９】梳き鋏の他の実施例の正面図
【符号の説明】
１　把持部
２　把持部
３　孔
４　側板
５　刃
６　カム孔
７　突起
８　側板
９　刃
１０　ビス
１１　指宛て面
１２　指宛て面
１３　刃の先端部
１４　はみ出し縁部
１５　刃先縁
１６　はみ出し部
１７　刃の先端部
１８　はみ出し縁部
１９　段差
２０　フランジ
２１　刃先縁
２２　はみ出し部
２３　把持部
２４　側板
２５　刃
２６　孔
２７　溝
２８　先端部
２９　はみ出し縁部
３０　刃先縁
３１　はみ出し部
３２　段差
３３　フランジ
３４　側板
３５　把持部
３６　支軸
３７　支軸
３８　刃
３９　刃
【図１】
2004065790.tif 000003
【図２】
2004065790.tif 000004
【図３】
2004065790.tif 000005
【図４】
2004065790.tif 000006
【図５】
2004065790.tif 000007
【図６】
2004065790.tif 000008
【図７】
2004065790.tif 000009
【図８】
2004065790.tif 000010
【図９】
2004065790.tif 000011